(57)【特許請求の範囲】
【請求項１】
補聴器のテレホンコイル用の電磁波を発生する送信コイルであって、長方形の平板部材の長辺と平行にコイル線を巻き、このコイル線を巻いた平板部材の短辺と平行な部位を、巻かれたコイル線と共に曲げて、略コの字形状又は略Ｕの字形状に形成し、コイル線に電流を流すことで、略コの字形状又は略Ｕの字形状の平板部材に囲まれた領域の磁力線を密にすることを特徴とする補聴器用送信コイル。
【請求項２】
請求項１に記載の補聴器用送信コイルにおいて、前記平板部材は、軟質磁性材で形成されていることを特徴とする補聴器用送信コイル。
【請求項３】
請求項１又は２に記載の補聴器用送信コイルにおいて、前記平板部材に巻かれたコイル線を、保護部材で覆うことを特徴とする補聴器用送信コイル。
【発明の詳細な説明】
【技術分野】
【０００１】
本発明は、耳かけ型補聴器などの内部に配設されたテレホンコイルに対して電磁波を発生する補聴器用送信コイルに関する。
【背景技術】
【０００２】
従来から、電話の音声を聴き易くするために、受話器のスピーカが発する電磁波（磁界）を受信し、この受信した電磁波を電気信号に変換するテレホンコイルを補聴器内に設けている。このテレホンコイルの用途は電話に限らず、電磁波用ワイヤレス受信アンテナとして使用でき、受信した電磁波を補聴器で聴くことができる。
【０００３】
また、このテレホンコイルに電磁波を送信する補聴器用送信コイル（以下、送信コイル）がある。例えば、装用者が容易に入手できラジオやテレビなどのイヤホン出力のある機器に接続して用いる送信コイルとして、ネックレスのように首に掛けて使用する首かけ型、フック状に形成され、耳かけ型補聴器の横に配置し、耳に掛けて使用する耳かけ型などがある。
【０００４】
また、劇場・講堂や体育館などの広い空間の床に設置される常設型で大掛かりな設備の送信コイルとして、磁気誘導ループシステムがある。この磁気誘導ループシステムを利用するため、テレホンコイルは、装用状態で上下方向（天地方向）の感度が高くなるように、補聴器内に配設されているものが多い。
【０００５】
特許文献１には、ネックレスのように首に掛けて使用する首かけ型が開示されている。
【０００６】
また、特許文献２には、肩掛けベルト体の内部にループアンテナ（送信コイル）を設けたもの、耳に係止可能な大きさのループ形状に形成したループアンテナ、耳に係止すべく針金状体をフック状に形成した係止体を設けアンテナや補聴器内の誘導コイル（テレホンコイル）に対向するように、アンテナ本体を補聴器の側壁に張設するものなどが開示されている。
【先行技術文献】
【特許文献】
【０００７】
【特許文献１】特開平１０−２２８６３号公報
【特許文献２】特開２００６−１８０４４８号公報
【発明の概要】
【発明が解決しようとする課題】
【０００８】
しかし、特許文献１に記載の首掛かけ型の送信コイルでは、耳かけ型補聴器との距離が離れているため、電磁波の強度が弱まってしまい、装用者は聞き取り難いことがある。
【０００９】
また、特許文献２に記載の耳かけ型の送信コイルでは、耳かけ型補聴器の横に装着するためにスリムな形状となっており、送信コイルのスペースを確保できないため、電磁波の強度が弱く、テレホンコイルの位置や向きによって、装用者は聴き取り難いことがある。また、電磁波の強度を十分に得ようとすると送信コイルのサイズを大きくしなければならないので、耳かけ型補聴器よりも下（耳より下）に設けることになり、送信コイルの部分は見栄えが悪い上に、動くので、装用感も悪くなる。
【００１０】
また、送信コイルを補聴器の側壁に張設する場合では、耳かけ補聴器内に設けられたテレホンコイルの位置や方向に合わせなければならないので、張設が難しい。耳介に隠れるような小型の耳かけ型補聴器では取り付けられない可能性が高い。また、取り付けられた場合でも、電磁波の強度を確保できる送信コイルは、サイズが大きくなり、見栄えが悪い。
【００１１】
本発明は、従来の技術が有するこのような問題点に鑑みてなされたものであり、その目的とするところは、所望な強度の電磁波をテレホンコイルに与えることができる補聴器用送信コイルを提供しようとするものである。
【課題を解決するための手段】
【００１２】
上記課題を解決すべく請求項１に係る発明は、補聴器のテレホンコイル用の電磁波を発生する送信コイルであって、長方形の平板部材の長辺と平行にコイル線を巻き、このコイル線を巻いた平板部材の短辺と平行な部位を、巻かれたコイル線と共に曲げて、略コの字形状又は略Ｕの字形状に形成し、コイル線に電流を流すことで、略コの字形状又は略Ｕの字形状の平板部材に囲まれた領域の磁力線を密にするものである。
【００１３】
前記平板部材は、軟質磁性材（透磁率が高い）で形成することができる。また、前記平板部材に巻かれたコイル線を、保護部材で覆うことができる。
【発明の効果】
【００１４】
本発明によれば、略コの字形状又は略Ｕの字形状の内側の領域において、電磁波を効率よく、安定して得ることができる。また、構造がシンプルであり、製造が容易である。
【００１５】
平板部材を軟質磁性材（透磁率が高い）で形成すれば、非磁性材などの場合と比べて電磁波の最大強度を上げることができる。また、所定の強度の電磁波を生じさせるのであれば、必要とする電流を下げることができるので、消費電力の低減に寄与する。また、保護部材で覆えば、平板部材に巻かれたコイル線が、送信コイルの取り扱いによって、傷ついたり断線したりしないように保護することができる。
【００１６】
耳かけ型補聴器に取り付ければ、取り付け位置を自在に調整できるので、装用者は容易にテレホンコイルの感度のよい位置に合わせることができる。また、テレホンコイルの方向（上下・天地）と送信コイルによる電磁波（磁界）の方向がほぼ同じとなるので、効率よく電磁波（磁界）を送受できる。よって、装用者は安定した聴き取が可能となる。
【図面の簡単な説明】
【００１７】
【図１】本発明に係る補聴器用送信コイルの作製説明図で、（ａ）は平板部材の平面図、（ｂ）は平板部材にコイル線を巻いた状態の平面図、（ｃ）は平板部材にコイル線を巻いた状態の正面図、（ｄ）は平板部材を折り曲げた状態の正面図、（ｅ）は完成状態の平面図、（ｆ）は完成状態の斜視図
【図２】本発明に係る補聴器用送信コイルの作用説明図で、（ａ）は電流の流れる方向と磁界の方向を示す図、（ｂ）は上部断面における平板部材の内部と外部の磁界の方向を示す拡大図、（ｃ）は両側部断面における平板部材の内部と外部の磁界の方向を示す拡大図、（ｄ）は（ａ）の矢印Ｆ方向から見た安定した磁界が得られる領域を示す拡大図
【図３】本発明に係る補聴器用送信コイルを耳かけ型補聴器に取り付けた斜視図
【発明を実施するための形態】
【００１８】
以下に本発明の実施の形態を添付図面に基づいて説明する。本発明に係る補聴器用送信コイル１は、図１に示すように、長方形の平板部材２の長辺２ａと平行にコイル線３を複数回巻き、コイル線３を巻いた平板部材２の短辺２ｂと平行な２つの部位２ｃ，２ｄをコイル線３と共に折り曲げて略コの字形状に形成されている。
【００１９】
平板部材２は、透磁率の高い軟質磁性材料（例えば、パーマロイ・ケイ素鋼など）で、且つ適度なバネ性のある材料で作製されるのが望ましい。コイル線３は、熱又はアルコールなどで融着する自己融着線を用いると作製が容易となる。また、コイル線３の径・巻き数は、必要とする磁界強度により決める。
【００２０】
コイル線３を巻いた平板部材２は、折り曲げて略コの字形状にする他に、曲げて略Ｕの字形状にすることもできる。コイル線３を巻いた平板部材２の曲げ形状は任意に選択可能である。
【００２１】
コイル線３の巻き始めと巻き終わりは、所望の位置でリード線４に半田付などで導通をとり、接着剤５などで固定する。例えば、図１（ｆ）に示すように、上部１ａのセンタ付近に固定する。
【００２２】
また、表面を熱収縮性のある弾性体（例えば、ポリオレフィン系又はネオプレン系の熱収縮チューブなど）や弾性を有するコーティング剤（例えば、シリコン系・ウレタン系など）などの保護部材で覆うことで、コイル線３を保護するとよい。
【００２３】
また、耳かけ型補聴器への把持をよくするために、保護部材の表面を粗くしてもよい。また、平板部材２のバネ性に限らず、この保護部材により、送信コイル１を耳かけ型補聴器に取り付けるようにもできる。
【００２４】
以上のように構成された本発明に係る補聴器用送信コイル１の作用について説明する。図２（ａ）に示すように、コイル線３に矢印方向の電流Ｉを流すと、平板部材２に巻かれたコイル線３の回りには、矢印方向の磁界Ｈが発生する。
【００２５】
そして、図２（ｂ）に示す上部１ａ巻かれたコイル線３の回りに発生する磁界Ｈと、図２（ｃ）に示す両側部１ｂ，１ｃに巻かれたコイル線３の回りに発生する磁界Ｈは、略コの字形状に形成された平板部材２の内部空間１０と外部空間１１において、同方向になる。
【００２６】
また、コイル線３を巻いた平板部材２を略コの字形状にすることにより、略コの字形状に囲まれた領域１２では、磁力線が密になり、安定した強度の磁界Ｈを得ることができる。従って、補聴器に内蔵されたテレホンコイルへ安定した電磁波を送受することが可能になる。
【００２７】
図３に、耳かけ型補聴器２０の背部に送信コイル１を取り付けた状態を示す。送信コイル１は、感度の最もよい位置（補聴器２０に内蔵されたテレホンコイル（不図示）の配設位置）に合うように調整し取り付けることができる。送信コイル１は、その両側部１ｂ，１ｃで、平板部材２のバネ性や保護部材によって補聴器２０を挟んで取り付けられる。
【００２８】
このように、送信コイル１を補聴器２０に取り付け、リード線４の端部に設けたプラグ（不図示）をラジオやテレビなどの機器のイヤホン出力に接続することにより、送信コイル１から発生される電磁波は、補聴器２０に内蔵されたテレホンコイル（不図示）で受信され、装用者は快適に音声や音楽などを聴き取ることができる。
【産業上の利用可能性】
【００２９】
本発明によれば、補聴器の内部に配設されたテレホンコイルに対して所望な強さで、且つ安定した電磁波を発生する補聴器用送信コイルを提供することができる。
【符号の説明】
【００３０】
１…補聴器用送信コイル、１ａ…上部、１ｂ，１ｃ…側部、２…平板部材、２ａ…長辺、２ｂ…短辺、２ｃ，２ｄ…部位、３…コイル線、４…リード線、１０…内部空間、１１…外部空間、１２…領域、Ｈ…磁界、Ｉ…電流。
【図１】
0005660870.tif 000002
【図２】
0005660870.tif 000003
【図３】
0005660870.tif 000004